(57)【要約】【課題】  患者の呼出ボタンと対応する看護師の持つ携帯端末を予め対応付けて記憶し、呼出ボタンが押下されると、押下された呼出ボタンに対応する携帯端末を呼び出す技術が知られているが、受け持ちの看護師は、あらかじめ登録をしなければならず、受け持ちの看護師が変わった場合には登録をしなおさなければならないという問題がある。【解決手段】  ＩＤリーダ機能を具備する呼出ボタンユニットにおいて、前記ＩＤリーダが近傍に存在するＩＤタグを検知すると、検知したＩＤタグの情報と自ユニットのユニット情報を呼出制御装置に通知し、該呼出制御装置は、ＩＤタグ情報記憶手段から、該呼出ボタンユニットが検知したＩＤタグのうち現在時刻にもっとも近い受信時刻のＩＤタグ情報を読出し、当該ＩＤタグ情報を表示または当該ＩＤタグに対応した端末に通知することを特徴とする。【選択図】図１
2012085082.tif 000002
【特許請求の範囲】
【請求項１】
ＩＤリーダ機能を具備する複数の呼出ボタンユニットと、前記呼出ボタンユニットを収容し、前記呼出ボタンユニットから呼出操作に係る信号を受信すると当該呼出ボタンユニットによって呼出された旨を表示または所定の端末に通知する呼出制御装置とからなる呼出システムであって、
前記呼出ボタンユニットは、
自呼出ボタンユニットが近傍に存在するＩＤタグを検知すると、検知したＩＤタグのＩＤタグ情報と自ユニットを識別するユニット情報を前記呼出制御装置に通知する通知手段と、を有し、
前記呼出制御装置は、
前記通知手段によってＩＤタグ情報とユニット情報を受信すると、受信した時刻および前記ＩＤタグ情報およびユニット情報を対応付けて記憶するＩＤタグ情報記憶手段と、
予め前記ＩＤタグ情報および所定の端末の宛先情報を対応付けて記憶する対応端末情報記憶手段と、を有し、
いずれかのボタンユニットから呼出操作に係る信号とユニット情報を受信すると、前記ＩＤタグ情報記憶手段を参照して該当するボタンユニットが検知したＩＤタグのうち現在時刻にもっとも近い前記受信時刻のＩＤタグ情報を読出し、前記読出したＩＤタグ情報または当該ボタンユニットに係る情報を表示する、または前記対応端末情報記憶手段を参照して当該ＩＤタグに対応した端末に通知することを特徴とするタグリーダと連動する呼出システム。
【請求項２】
請求項１に記載の呼出システムであって、
前記ＩＤタグは、所定の無線端末に対応するＩＤタグであって、
前記対応端末情報記憶手段は、さらに前記ＩＤタグ情報と対応付けられた前記無線端末の電話番号を記憶し、
いずれかのボタンユニットから呼出操作に係る信号と自ユニットのユニット情報を受信すると、前記対応端末情報記憶手段を参照して、当該ＩＤタグ情報に対応する前記無線端末の電話番号で当該無線端末を呼出すことを特徴とするタグリーダと連動する呼出システム。
【請求項３】
請求項２に記載の呼出システムであって、
前記呼出した無線端末から一定時間以内に応答がなければ、前記ＩＤタグ情報記憶手段を参照して当該ボタンユニットが検知したＩＤタグのうち次に現在時刻に近い前記受信時刻のＩＤタグ情報を読み出し、前記対応端末情報記憶手段を参照して当該ＩＤタグ情報に対応する無線端末を呼出すことを特徴とするタグリーダと連動する呼出システム。
【発明の詳細な説明】
【技術分野】
【０００１】
本発明は、ナースコールシステム等の呼出システムに関し、特にＩＤリーダと連動した呼出システムに関する。
【背景技術】
【０００２】
従来のナースコールシステムは、呼出ボタンが押下されるとナースコールセンターが鳴動するまたは全ての無線端末に呼び出された事の通知を行う。そのため、通知を受けた看護師は、直接患者に対応するか、呼出ボタンを押下した患者を担当する看護師を呼び出さなければならず、不便であった。
【０００３】
これを解決するために特許文献１の技術では、患者の予め呼出ボタンと対応する看護師の持つ携帯端末を対応付けて記憶し、呼出ボタンが押下されると、押下された呼出ボタンに対応する携帯端末を呼び出す機能が開示されている。
【特許文献１】特開２０００−１０７２４０号公報
【発明の概要】
【発明が解決しようとする課題】
【０００４】
しかしながら、特許文献１に開示された技術では、受け持ちの看護師に通知させるためには、あらかじめ登録をしなければならず、受け持ちの看護師が変わった場合には登録をしなおさなければならないという問題がある。
【０００５】
また、特許文献１の技術では看護師が呼び出されたことに気づかなかった場合の対処が考慮されていない。
【０００６】
上記課題から本発明の目的は、担当看護師が変わった場合にも登録をし直す必要がなく、また、担当看護師が呼び出されたことに気がつかなかった場合には、他の看護師を呼出すことによって、いずれかの看護師を確実に呼び出すことを目的とする。
【課題を解決するための手段】
【０００７】
請求項１の発明は、ＩＤリーダ機能を具備する複数の呼出ボタンユニットと、前記呼出ボタンユニットを収容し、前記呼出ボタンユニットから呼出操作に係る信号を受信すると当該呼出ボタンユニットによって呼出された旨を表示または所定の端末に通知する呼出制御装置とからなる呼出システムであって、前記呼出ボタンユニットは、自呼出ボタンユニットが近傍に存在するＩＤタグを検知すると、検知したＩＤタグのＩＤタグ情報と自ユニットを識別するユニット情報を前記呼出制御装置に通知する通知手段と、を有し、前記呼出制御装置は、前記通知手段によってＩＤタグ情報とユニット情報を受信すると、受信した時刻および前記ＩＤタグ情報およびユニット情報を対応付けて記憶するＩＤタグ情報記憶手段と、予め前記ＩＤタグ情報および所定の端末の宛先情報を対応付けて記憶する対応端末情報記憶手段と、を有し、いずれかのボタンユニットから呼出操作に係る信号とユニット情報を受信すると、前記ＩＤタグ情報記憶手段を参照して該当するボタンユニットが検知したＩＤタグのうち現在時刻にもっとも近い前記受信時刻のＩＤタグ情報を読出し、前記読出したＩＤタグ情報または当該ボタンユニットに係る情報を表示する、または前記対応端末情報記憶手段を参照して当該ＩＤタグに対応した端末に通知することを特徴とする。
【０００８】
請求項２の発明は、前記ＩＤタグは、所定の無線端末に対応するＩＤタグであって、前記対応端末情報記憶手段は、さらに前記ＩＤタグ情報と対応付けられた前記無線端末の電話番号を記憶し、いずれかのボタンユニットから呼出操作に係る信号と自ユニットのユニット情報を受信すると、前記対応端末情報記憶手段を参照して、当該ＩＤタグ情報に対応する前記無線端末の電話番号で当該無線端末を呼出すことを特徴とする。
【０００９】
請求項３の発明は、前記呼出した無線端末から一定時間以内に応答がなければ、前記ＩＤタグ情報記憶手段を参照して当該ボタンユニットが検知したＩＤタグのうち次に現在時刻に近い前記受信時刻のＩＤタグ情報を読み出し、前記対応端末情報記憶手段を参照して当該ＩＤタグ情報に対応する無線端末を呼出すことを特徴とする。
【発明の効果】
【００１０】
請求項１及び請求項２に記載のナースコールシステムによれば、一番最近看護した看護師を呼び出すことができるため、状況を知っている看護師が患者に対応することができる。また、請求項３に記載のナースコールシステムによれば、最初に呼び出したナースコール先の無線子機が応答しなかった場合に他無線子機を現在時刻に近い順に呼び出すことによって、ナースコールを看護師の誰かに気づかせることができる。
【図面の簡単な説明】
【００１１】
【図１】本システムのシステム構成図
【図２】呼出制御装置のブロック図
【図３】ＩＤタグ情報記憶テーブル
【図４】無線端末情報記憶テーブル
【図５】呼出ボタンユニットフローチャート
【図６】呼出制御装置フローチャート１
【図７】呼出制御装置フローチャート２
【発明を実施するための形態】
【００１２】
以下に本発明の実施の形態を、図面を参照しながら説明する。
図１を用いて、先ず本発明のシステム構成について説明する。
本発明のナースコールシステムは、ナースセンター等に設置された呼出制御装置１と、交換機３及び無線基地局４を介して呼び出される、看護師が持つＩＤタグ６を有した無線端末５と、各病室、各病棟のベッド毎に設けられた、患者が呼び出し時に押下する呼出ボタン２５の入力を検知するボタン入力部２１と、ＩＤタグ６を検知するボタンユニットＩＤタグリーダ２２と、検知したＩＤタグ情報を制御装置インターフェース２４へ送信するボタンユニットＩＤ通知部２３と、呼出ボタン入力や検知ＩＤタグ情報、自ユニット情報を制御装置１へ送信する制御装置インターフェース２４を有した呼出ボタンユニット２から構成される。
【００１３】
なお、交換機３と無線基地局４の間に電話網を介すことにより、携帯電話端末への呼び出しをすることもできる。また、１つの呼出ボタンユニット２に対して呼出ボタン２５は１つである。
【００１４】
図２を用いて、本発明の呼出制御装置のブロック構成について説明する。
主制御部１０１は、呼出ボタンインターフェース１０２、交換機インターフェース１０３、表示器制御部１０４、キー入力部１０６、制御装置ＩＤ通知部１０８、ＩＤタグ情報管理部１１１、無線端末情報管理部１１３に接続し、本装置の処理全般を制御するとともに、接続する他のブロック部を制御する。
【００１５】
呼出ボタンインターフェース１０２は、呼出ボタンユニット２から受信したＩＤタグ情報と呼出ボタンユニット情報、または呼出ボタン押下情報を主制御部１０１へ送信する。
交換機インターフェース１０３は、交換機３へ呼出す無線端末番号を送信し、また交換機３から受信した相手応答信号を主制御部１０１へ送信する。
【００１６】
表示器制御部１０４は、無線端末呼出時に主制御部１０１から無線端末情報を受信し、表示器１０５に表示させる。
キー入力部１０６は、無線端末番号登録時にダイヤルボタン１０７押下を検知して、押下された番号を無線端末の電話番号として主制御部１０１へ送信する。
【００１７】
制御装置ＩＤ通知部１０８は、ＩＤタグ情報登録時に制御装置ＩＤタグリーダ１０９が検知したＩＤタグ情報を主制御部１０１へ送信する。
ＩＤタグ情報管理部１１１は、主制御部１０１から受信したＩＤタグ情報と呼出ボタンユニット情報、時刻制御部１１０から取得した時刻とを関連づけてＩＤタグ情報記憶部１１２に記憶させて、現在時刻に近い順に管理する。
無線端末情報管理部１１３は、主制御部１０１から受信したＩＤタグ情報と無線端末番号を関連づけて対応端末情報記憶手段としての無線端末情報記憶部１１４に記憶させて管理する。
【００１８】
図３は、呼出制御装置１のＩＤタグ情報記憶部１１２に蓄積されている、呼出ボタンユニットごとに受信したＩＤタグを記憶させるＩＤタグ情報記憶テーブル３００である。
３０１は呼出ボタンユニット番号、３０２は呼出ボタンユニット番号ごとの呼出順番、３０３は受信ＩＤタグ情報、３０４はＩＤタグ情報受信時刻が格納されており、３１０の各行の内容はそれぞれ対応している。
ＩＤタグ情報記憶テーブル３００は、呼出制御装置１のＩＤタグ情報受信時に作成され、呼出制御装置１の無線端末呼出時に参照する。詳細については、後述する。
【００１９】
図４は、呼出制御装置１の無線端末情報記憶部１１４に蓄積されている、ＩＤタグ情報に対応した無線端末番号を記憶させる無線端末情報記憶テーブル４００である。
４０１は無線端末番号、４０２はＩＤタグ情報が格納されており、４１０の各行の内容はそれぞれ対応している。
無線端末情報記憶テーブル４００は無線端末番号登録時に作成され、呼出制御装置１の無線端末呼出時に参照する。詳細については、後述する。
【００２０】
図５を用いて本発明の呼出ボタンユニット２の処理について説明する。
呼出ボタンユニット２は患者のベッド付近に設置されており、内蔵されているボタンユニットＩＤタグリーダ２２は、常時ＩＤタグ６の検知動作をしている。
【００２１】
看護師が看護などで患者のベッド付近にいるときに、ボタンユニットＩＤタグリーダ２２が看護師の持っている無線端末５に内蔵または貼り付けてあるＩＤタグ６を検知し（Ｓ５０３ＹＥＳ）、ボタンユニットＩＤ通知部２３は検知したＩＤタグを呼出ＩＤタグ情報として制御装置インターフェース２４へ送信し、制御装置インターフェース２４から呼出制御装置１に呼出ＩＤタグ情報と自ユニット情報を通知する（Ｓ５０４）。
【００２２】
また、患者がベッド付近に設置されている呼出ボタン２５を押下すると、ボタン入力部２１が呼出ボタン２５の押下を検出し（Ｓ５０１ＹＥＳ）、制御装置インターフェース２４から呼出制御装置１に呼出ボタン２５押下と自ユニット情報を通知する（Ｓ５０２）。
【００２３】
図６、図７を用いて本発明の呼出制御装置１の処理について説明する。
呼出制御装置１に内蔵されている制御装置ＩＤタグリーダ１０９は、常時ＩＤタグ６の検知動作をしている。
【００２４】
看護師が持つ無線端末５に内蔵または貼り付けてあるＩＤタグ６と関連ずけて無線端末５の内線番号を登録するときには、登録する無線端末５を呼出制御装置１の制御装置ＩＤタグリーダ１０９の近くにかざすと、ＩＤタグ情報を検知して（Ｓ６０１ＹＥＳ）、制御装置ＩＤ通知部１０８は検知したＩＤタグ情報を主制御部１０１に通知し、主制御部１０１は、無線端末情報管理部１１３に指示して、該ＩＤタグ情報を無線端末情報記憶テーブル４００の４０２欄にセットする（Ｓ６０２）。
【００２５】
このときダイヤルボタン１０７を押下にて無線端末５の内線番号を入力すると、キー入力部１０６は該内線番号を受信し（Ｓ６０３）、受信した該内線番号を主制御部１０１に通知する。主制御部１０１は、該内線番号を上記ＩＤタグ情報に対応した無線端末の内線番号として無線端末情報記憶テーブル４００の４０１欄にセットする（Ｓ６０４）。
【００２６】
呼出制御装置１は、ＩＤタグを検出した呼出ボタンユニット２より、検出したＩＤタグ情報と呼出ボタンユニット番号を受信すると（Ｓ６０５ＹＥＳ）、ＩＤタグ情報記憶テーブル３００上の呼出ボタンユニット番号３０１の中から受信した呼出ユニット番号に対応する受信ＩＤタグ情報３０３欄を検索する（Ｓ６０６）。
【００２７】
呼出ボタンユニット２より受信したＩＤタグ情報と同一のＩＤタグが格納されていれば（Ｓ６０７ＹＥＳ）当該レコードを削除して（Ｓ６０８）、受信したＩＤタグ情報を受信ＩＤタグ情報３０３欄に、対応するＩＤタグ情報受信時刻３０４欄に当該ＩＤタグ情報を受信した時刻を新しく登録し（Ｓ６１０）、呼出ボタンユニット番号３０１欄内の該呼出ボタンユニット番号に対応するすべての受信ＩＤタグ情報のレコードをＩＤタグ情報受信時刻が現在時刻に近い順に並べ替える（Ｓ６１１）。
【００２８】
呼出ボタンユニット２より受信したＩＤタグ情報と同一のＩＤタグ情報が、ＩＤタグ情報記憶テーブル３００上の当該呼出ユニット番号に対応する受信ＩＤタグ情報欄３０３に格納されていない場合には（Ｓ６０７ＮＯ）、一番古いレコードを削除して（Ｓ６０９）、受信したＩＤタグ情報と関連のＩＤタグ情報受信時刻とを新しく登録し（Ｓ６１０）、該呼出ボタンユニット番号に対応するすべての受信ＩＤタグ情報のレコードをのＩＤタグ情報受信時刻が現在時刻に近い順に並べ替える（Ｓ６１１）。
【００２９】
呼出ボタン２５の押下を検知した呼出ボタンユニット２は、呼出ボタン押下通知と自呼出ボタンユニット番号を呼出制御装置１へ通知する。該呼出ボタンユニット番号と該呼出ボタン押下通知を受信すると（Ｓ６１２ＹＥＳ）、呼出制御装置１は、ＩＤタグ情報記憶テーブル３００の呼出ボタンユニット番号３０１欄をサーチして、受信した該呼出ボタンユニット番号に対応するすべてのレコードのＩＤタグ情報受信時刻をサーチして、最新レコードの受信ＩＤタグ情報３０３欄のＩＤタグ情報を参照し（Ｓ６１３）、無線端末情報記憶テーブル４００のＩＤタグ情報４０２欄をサーチして、参照したＩＤタグ情報に対応する無線端末番号を無線端末番号４０１欄より取得し（Ｓ６１４）、該無線端末番号の無線端末を呼び出し（Ｓ６１５）、呼出時間タイマをスタートする（Ｓ６１６）。
【００３０】
無線端末が応答せず（Ｓ６１７ＮＯ）呼出時間タイマがタイムアウトした場合（Ｓ６１８ＹＥＳ）は、再びＩＤタグ情報記憶テーブル３００の当該ユニット番号に対応する全レコードへの呼び出しを行っていなければ（Ｓ６１９ＮＯ）、次に最新のレコードに対応する無線端末番号を取得し（Ｓ６２０）、当該無線端末番号の無線端末の呼び出しを行う。
【００３１】
尚、本実施例では、ステップ６１４で無線端末情報記憶テーブル４００の無線端末番号４０１を取得し、端末番号での呼び出しをしているが、例えば無線端末番号４０１はメールアドレスであって該メールアドレスにＩＤタグ情報記憶テーブル３００の受信ＩＤタグ情報３０３また呼出ボタンユニット２の呼出ボタンユニット番号３０１を通知するようにしてもよい。
【００３２】
尚、本実施例では、ステップ６１５で無線端末の呼び出しを行う説明をしているが、呼出制御装置１の表示制御部１０４から表示部１０５にＩＤタグ情報記憶テーブル３００の受信ＩＤタグ情報３０３また呼出ボタンユニット２の呼出ボタンユニット番号３０１を表示してもよい。
【符号の説明】
【００３３】
１      ・・・呼出制御装置
２      ・・・呼出ボタンユニット
３      ・・・交換機
４      ・・・無線基地局
５      ・・・無線端末
６      ・・・ＩＤタグ
２１    ・・・ボタン入力部
２２    ・・・ボタンユニットＩＤタグリーダ
２３    ・・・ボタンユニットＩＤ通知部
２４    ・・・制御装置インターフェース
２５    ・・・呼出ボタン
１０１  ・・・主制御部
１０２  ・・・呼出ボタンインターフェース
１０３  ・・・交換機インターフェース
１０４  ・・・表示器制御部
１０５  ・・・表示器
１０６  ・・・キー入力部
１０７  ・・・ダイヤルボタン
１０８  ・・・制御装置ＩＤ通知部
１０９  ・・・制御装置ＩＤタグリーダ
１１０  ・・・時刻制御部
１１１  ・・・ＩＤタグ情報管理部
１１２  ・・・ＩＤタグ情報記憶部
１１３  ・・・無線端末情報管理部
１１４  ・・・無線端末情報記憶部
【図１】
2012085082.tif 000003
【図２】
2012085082.tif 000004
【図３】
2012085082.tif 000005
【図４】
2012085082.tif 000006
【図５】
2012085082.tif 000007
【図６】
2012085082.tif 000008
【図７】
2012085082.tif 000009